(57)【要約】【課題】防虫性、耐腐食性、断熱性、寸法安定性に優れ、且つ、施工が容易であると共につまずきが生じ易い段差をなくして老齢者であっても安全に歩行できるバリアフリーに適した薄畳を提供する。【解決手段】薄畳の芯材２として防虫性、耐腐食性、断熱性、寸法安定性に優れた桐材からなり、この芯材２の表裏面にクッション性を有するシート状保護材３、４を積層すると共に裏面側のシート状保護材４に防湿シート５を一体に重ね合わせて畳床１を形成し、さらに、この畳床１の表裏面における上記シート状保護材３、４と防湿シート５との両側端縁部を切除してその表面側切除部に畳表７の両側端縁部と縁材８の上部を重合状態で固定して畳表７と縁材８との表面を面一状に連続させていると共に、畳床１の裏面側においても畳表７の前後折り返し端部と防湿シート５とを面一状に連続させて段差をなくしている。【選択図】　　図２
2004011323.tif 000002
【特許請求の範囲】
【請求項１】
桐材からなる集成材の表裏面に同じく桐材からなる単板を一体に積層して芯材を形成し、この芯材の表裏面にクッション性を有する一定厚みのシート状保護材を積層すると共に裏面側のシート状保護材に防湿シートを張設し、全体の厚みを１０〜１２ｍｍに形成していることを特徴とする薄畳用畳床。
【請求項２】
桐材からなる集成材の表裏面に同じく桐材からなる単板を一体に積層して芯材を形成すると共にこの芯材の表裏面にクッション性を有する一定厚みのシート状保護材を積層し、且つ裏面側のシート状保護材に防湿シートを張設して畳床を形成してあり、この畳床の表面側のシート状保護材の両側端縁部と裏面側のシート状保護材及び防湿シートの両側端縁部とを切除すると共に畳床の表面全面に畳表を張設してこの畳表の両側端縁部を上記切除によって露出した畳床の両側端縁部上に重ね合わせると共にこの畳表の両側端縁部表面から畳床の裏面における露出した両側端縁部に亘って縁材を取付け、さらに、畳床の前後框部において、該裏面に張設している上記シート状保護材及び防湿シートの端縁部を切除してこの切除により露出した畳床の框部の裏面端縁部に該框部の表面側から端面を介して裏面に折り返している上記畳表の縁端部を取付けていることを特徴とする薄畳。
【請求項３】
畳床の框部における端面とこの端面を被覆している畳表の折り返し部との間に一定厚みを有するクッション材を介在させていることを特徴とする請求項１記載の薄畳。
【請求項４】
畳表は、紙を細く裁断して筒状に撚った筒状抄繊糸を紡織してなるものであることを特徴とする請求項２または請求項３に記載の薄畳。
【発明の詳細な説明】
【０００１】
【発明の属する技術分野】
本発明は軽量にして寸法安定性、断熱性、加工性に優れていると共に洋間などの板の間上に対する施工性も良好であり、且つ段差を殆ど生じさせることなく敷設することができるバリアフリーに適した薄畳用畳床及びこの畳床を用いた薄畳に関するものである。
【０００２】
【従来の技術】
近年、老齢化社会に対応して住宅においてはバリアフリーを考慮した室内床構造が重要視され、例えば、和室と洋室とを隣接して設ける場合には、洋室の床面と和室に敷設した畳間に段差が生じるのを解消するために、畳として洋室のフローリングの厚みに等しい厚みの薄畳を使用している。
【０００３】
一方、畳床としては古くから藁製のものが採用されているが、藁を用いて上記のような薄畳用畳床を製造すると、薄畳として必要な強度を発揮させることができず、又、剛性や寸法安定性に劣って取扱性、施工性に問題点が生じる。このため、薄肉化が可能なプラスチック板や無機板を畳床に使用し、この畳床の表面に畳表を張設すると共に両側端縁部に縁材を縫着した薄畳が採用されている。
【０００４】
【発明が解決しようとする課題】
しかしながら、プラスチック板や無機板は剛性が強く、吸放湿性がなくなって裏面側に結露が生じるばかりでなく、下地の不陸に馴染むことができないために浮き上がりが生じて施工性が悪いという問題点があり、その上、ブラスチック板や無機板は廃棄した時にその処理が困難である。
【０００５】
また、このようなプラスチック板や無機板に代えて、桐や杉、檜等の木質板材の表裏面にクッション材を重ね合わせてなる畳床を採用することも行われているが、いずれの畳床においても、その表面に張設した畳表における畳床の框部側の裏面に折り返した端縁部は、その厚み分だけ畳床の裏面から盛り上がっていると共に畳表の両側端縁部表面から畳床の裏面における露出した両側端縁部に亘って縫着している縁材も、その表裏面が畳床の両側端縁部の表裏面から該縁材の厚み分だけ高くなって段差が発生し、床面に敷設した場合でもフローリングの表面とこの薄畳の表面間に段差が発生してバリアフリーに適さないという問題点があった。
【０００６】
本発明はこのような問題点に鑑みてなされたもので、その目的とするところは、調湿機能を有していると共に防虫性、耐腐食性、断熱性、寸法安定性に優れ、且つ、床面に対する馴染み性もあり、その上、床面に敷設した場合にも段差が生じ難くてバリアフリーに適した薄畳用畳床及びこの畳床を用いた薄畳を提供するにある。
【０００７】
【課題を解決するための手段】
上記目的を達成するために本発明の畳床は、請求項１に記載したように、桐材からなる集成材の表裏面に同じく桐材からなる単板を一体に積層して芯材を形成し、この芯材の表裏面にクッション性を有する一定厚みのシート状保護材を積層すると共に裏面側のシート状保護材に防湿シートを張設し、全体の厚みを１０〜１２ｍｍに形成した構造としている。
【０００８】
請求項２に係る発明は、上記請求項１に記載の畳床を採用した薄畳であって、上記底床の表面側に積層しているシート状保護材の両側端縁部と裏面側に積層しているシート状保護材及び防湿シートの両側端縁部とを切除すると共に畳床の表面全面に畳表を張設してこの畳表の両側端縁部を上記切除によって露出した畳床の両側端縁部上に重ね合わせると共にこの畳表の両側端縁部表面から畳床の裏面における露出した両側端縁部に亘って縁材を取付け、さらに、畳床の前後框部において、該裏面に張設している上記シート状保護材及び防湿シートの端縁部を切除してこの切除により露出した畳床の框部の裏面端縁部に該框部の表面側から端面を介して裏面に折り返している上記畳表の縁端部を取付けていることを特徴とするものである。
【０００９】
このように構成した薄畳において、請求項３に係る発明は、畳床の框部における端面とこの端面を被覆している畳表の折り返し部との間に一定厚みを有するクッション材を介在させていることを特徴とするものであり、請求項４に係る発明は、上記畳表として、紙を細く裁断して筒状に撚った筒状抄繊糸を紡織してなる畳表を使用していることを特徴とする。
【００１０】
【作用】
畳床の芯材は桐材からなるので、軽量で取扱性が良く、その上、防虫性、耐腐食性、断熱性に優れていると共に、収縮率も少ないので寸法安定性においても優れており、さらに、この芯材は集成材の表裏面に単板を一体に積層した三層構成としているので、芯材としての寸法変化が一層、抑制される上に、薄畳用の薄肉芯材としての十分な剛性を備えると共に下地に不陸があっても下地に押し付けることによって亀裂や割れが生じることなく不陸に応じた修正が可能となる。さらに、古くなった場合においてはその廃棄処理も容易となる。
【００１１】
また、この芯材の表裏面にクッション性を有する一定厚みのシート状保護材を積層しているので、桐材製の芯材によっては修正が困難な僅かな寸法変化をこれらのシート状保護材によって吸収させることができ、歩行性、施工性が向上すると共に裏面に張設している防湿シートによって結露の発生を抑制することができる。
【００１２】
この畳床を用いた薄畳は、表面側のシート状保護材の両側端縁部と裏面側のシート状保護材及び防湿シートの両側端縁部とを切除してこの切除部に露出した畳床の表面両側端縁部に畳表の両側端縁部を重ね合わせると共に、この畳表の両側端縁部表面から畳床の裏面における上記露出した両側端縁部に亘って縁材を取付けているので、縁材の表裏面と畳表及び防湿シート面とが面一状となり、さらに、畳床の前後框部においても、該裏面に張設している上記シート状保護材及び防湿シートの端縁部を切除してこの切除により露出した畳床の框部の裏面端縁部に該框部の表面側から端面を介して裏面に折り返している上記畳表の縁端部を取付けているので、畳表の折り返した縁端部と防湿シート面とが面一状となる。従って、薄畳における縁部や框部の段差が殆どなくなく、フローリングとの段差や集合住宅でのスラブ直敷きにおいても段差が出にくくなり、バリアフリーに適するものである。
【００１３】
さらに、この薄畳において、畳床の框部における端面とこの端面を被覆している畳表の折り返し部との間に一定厚みを有するクッション材を介在させておくことにより、隣接する薄畳における畳床の対向端面間の隙間の大小に応じてこのクッション材がその圧縮量を変化させながら接合して目隙を生じさせることなく容易に且つ正確に施工することができるものである。また、畳表として、紙を細く裁断して筒状に撚った筒状抄繊糸を紡織してなるものを使用することにより、変色や退色がし難く且つ寸法変化が小さくて品質が一定し、撥水性にも優れて汚れが付着し難い薄畳を得ることができる。
【００１４】
【発明の実施の形態】
次に、本発明の具体的な実施の形態を図面について説明すると、畳床１は、桐材からなる芯材２の表裏面にクッション性を有するシート状保護材３、４を積層していると共に、裏面側のシート状保護材４に防湿シート５を重ね合わせてこの防湿シート５と表面側のシート状保護材３間を糸条物６によって一定間隔毎に固定してなるものであり、この畳床１の表面側のシート状保護材３上に畳表７を張設すると共に該畳表７の前後両端部を畳床１の前後端面から裏面側の端縁部に折り返した状態にして縫着等により固定し、さらに、畳表７の両側端縁部の表裏面間に布製の縁材８、８を取付けて薄畳を構成しているものである。
【００１５】
この薄畳の構成を更に詳しく説明すると、上記畳床１における芯材２は、桐材からなる集成材２ａの表裏面に同じく桐材からなる単板２ｂ、２ｃを一体に積層して厚みが４〜８ｍｍの３層構成を有し、集成材２ａと単板２ｂ、２ｃとはその繊維方向を直交させた構造としている。
【００１６】
桐材は、その比重は国産樹種のなかでも最も小さく、従って、軽量であって運搬等の取扱性に優れているはかりでなく、乾燥した桐材の収縮率が極めて小さくて寸法安定性が良好であり、その上、乾燥すると木材細胞の内部は乾いた空気で満たされるために熱伝導率が低くて断熱性を発揮すると共に、防虫性、耐腐食性に優れている。
【００１７】
この桐材からなる芯材２の表裏面に積層、一体化している上記クッション性を有するシート状保護材３、４は、紙質若しくは不織布からなり、さらに、芯材２の裏面側に積層しているシート状保護材４に一体に重合している防湿シート５は畳用防湿紙を使用している。そして、この畳床１の厚みは、例えば、１５ｍｍ厚の薄畳を構成する場合には１２ｍｍに、１３ｍｍ厚の薄畳を構成する場合には１０ｍｍに形成されている。なお、上記シート状保護材３、４としてポリエチレン等の緩衝材を使用してもよく、この緩衝材を採用すると薄畳に遮音性を付与することができる。
【００１８】
さらに、畳床１の表面に張設している上記シート状保護材３の両側端縁部を図４に示すように、縁材８の表面側の幅に相当する幅だけ切除して畳床１における芯材２の表面両側端縁部２１、２１を全長に亘って露出させてあり、この露出端縁部２１、２１に、表面側のシート状保護材３上に一体に積層している畳表７の両側端縁部７ａ、７ａを重ね合わせていると共に該畳表７の両側端縁部７ａ、７ａ上に縁材８、８の上側縁部８ａを重ね合わせて縫着等により固定している。この縁材８の厚みは上記表面側のシート状保護材３の厚みに略等しく形成されてあり、従って、両側縁材８、８の表面、即ち、上側縁部８ａの上面は畳表７に対して段差が生じることなく該畳表７の表面と面一状に連続させた構造としている。なお、縁材８の厚みがシート状保護材３の厚みよりも大きい場合にはその厚みの差だけ芯材２の表面両側端縁部を削り取ればよい。
【００１９】
また、畳床１の裏面に張設している上記シート状保護材４とこのシート状保護材４上に一体に層着している上記防湿シート５の両側端縁部も、縁材８の裏面側の幅に相当する幅だけ切除して畳床１における芯材２の裏面両側端縁部２２、２２を全長に亘って露出させてあり、この露出端縁部２２、２２に、畳表７の表面両側端縁上から畳床１の両側端面を被覆し、且つ該両側端面から畳床１の裏面両側端縁部に向かって折り返している縁材８、８の下側縁部８ｂを重ね合わせて縫着等により固定している。上記裏側のシート状保護材４と防湿シート５との厚みの和は、この縁材８の厚みに略等しく形成されてあり、従って、両側縁材８、８の裏面、即ち、下側縁部８ｂの下面は、畳床１の裏面、即ち、防湿シート５の下面と略面一状に連続させた構造としている。
【００２０】
上記畳表７は、その幅は畳床１の両側端面間の幅に等しい幅を有しているが、前後方向の長さは畳床１の前後両端面間の長さよりも長く形成されてあり、図２、図５に示すように、この畳表７の前後端部を畳床１の前後框部における表面から前後両端面を被覆して裏面側に折り返し、該折り返し端部７ｂ、７ｂを芯材２における前後端部の露出面２３、２３に直接、重ね合わせた状態で縫着等により一体に固定しているものである。
【００２１】
即ち、畳床１の裏面におけるシート状保護材４と防湿シート５との前後端部を切除して芯材２における前後端面から長さ方向に一定幅を存した前後端部を露出させ、この露出面２３、２３に畳表７の折り返し端部７ｂ、７ｂを重ね合わせた状態にして装着しているものである。
【００２２】
また、畳床１の前後端面に前後方向の幅（厚み）が５ｍｍ程度のクッション材９が接着されていてこのクッション材９を、畳床１の前後端面に沿わせた上記畳表７の折り返し部における前後端部７ｃによって被覆している。即ち、畳床１の框部における前後端面と畳表７の折り返し部における前後端部７ｃとの間に上記一定厚みを有するクッション材９を介在させた構造としている。なお、畳床１に対する縁材８や畳表７の固着は、返し縫いや框縫い以外に、タッカ打ちによる固着手段を採用してもよい。
【００２３】
上記畳表７としては、イ草製であってもよいが、紙を細く裁断して筒状に撚った筒状抄繊糸を紡織してなるものを使用することが望ましく、この紙製の畳表７によれば、寸法変化が小さくて品質を均一にすることができる。
【００２４】
このように構成した薄畳を床スラブ等の下地上に直敷きすることにより和室を構成したり、或いは、洋室のフローリング上に敷設して和室を構成する場合には、隣接する薄畳の対向端面を互いに接合させた状態で敷設すればよく、また、洋室の一部を和室とする場合には、洋室の一部の床材を剥離して床スラブ等の下地面を露出させ、この露出した下地面上に薄畳を敷設するものである。
【００２５】
この場合、洋室の床面を形成している床材の厚み（通常、１３ｍｍ厚又は１５ｍｍ厚に形成されている）と同一厚の薄畳を使用することによって、互いに接合した床材の表面と薄畳の表面との間に段差が生じることなく、これらの表面を面一状に連続させることができ、その上、薄畳においてもその畳表７の表面と両側縁材８、８の表面とが面一状に連続しているから、つまずくこともなく安全に歩行することができてバリアフリーに適した床構造を構成することができる。
【００２６】
【発明の効果】
以上のように本発明の畳床の構造によれば、請求項１に記載したように、桐材からなる集成材の表裏面に同じく桐材からなる単板を一体に積層して畳床の芯材を形成しているので、軽量で取扱性が良く、その上、桐材は防虫性、耐腐食性、断熱性に優れていると共に、収縮率も少ないので寸法安定性においても優れており、さらに、この桐材からなる芯材は集成材の表裏面に単板を一体に積層した三層構成としているので、芯材としての寸法変化が一層、抑制される上に、十分な剛性を有しているから薄畳用の薄肉芯材として最適であり、その上、下地に不陸があっても下地に押し付けることによって亀裂や割れが生じることなく不陸に応じた修正が可能となって施工性が向上する。さらに、古くなった場合においてはその廃棄処理も公害を発生させることなく容易に行えるものである。
【００２７】
また、この芯材の表裏面にクッション性を有する一定厚みのシート状保護材を積層しているので、このシート状保護材によって修正が困難な僅かな寸法変化を吸収させることができると共に歩行性が良好な薄畳を構成することができ、その上、裏面に張設している防湿シートによって結露の発生を抑制して長期の使用に耐えることができる薄畳を提供し得る。
【００２８】
請求項２に係る発明は、上記畳床を用いた薄畳であって、表面側のシート状保護材の両側端縁部と裏面側のシート状保護材及び防湿シートの両側端縁部とを切除してこの切除部に露出した畳床の表面両側端縁部に畳表の両側端縁部を重ね合わせると共に、この畳表の両側端縁部表面から畳床の裏面における上記露出した両側端縁部に亘って縁材を取付けているので、縁材の表裏面と畳表及び防湿シート面とを面一状に形成することができると共に、畳床の前後框部においても、該裏面に張設している上記シート状保護材及び防湿シートの端縁部を切除してこの切除により露出した畳床の框部の裏面端縁部に該框部の表面側から端面を介して裏面に折り返している上記畳表の縁端部を取付けているので、畳表の折り返した縁端部と防湿シート面とが面一状となり、従って、薄畳における縁部や框部の段差が従来のように２〜３ｍｍの段差となることなく、フローリングとの段差や集合住宅でのスラブ直敷きにおいても段差が出にくくなって、老齢者であってもつまずくことなく安全に歩行することができ、バリアフリーに適する床構造を構成することができる。
【００２９】
上記薄畳において、請求項３に係る発明は、畳床の框部における端面とこの端面を被覆している畳表の折り返し部との間に一定厚みを有するクッション材を介在させているので、薄畳を施工する時に、隣接する薄畳における畳床の対向端面間の隙間の大小に応じてそのクッション材を圧縮させながら接合させることができ、従って、薄物の畳程生じ易い寸法の収縮等による目隙を生じさせることなく能率よく且つ正確に施工することができるものである。
【００３０】
また、請求項４に係る発明によれば、上記畳表として、紙を細く裁断して筒状に撚った筒状抄繊糸を紡織してなるものを使用しているので、変色や退色がし難く且つ寸法変化が小さくて品質が一定し、撥水性にも優れて汚れが付着し難い薄畳を得ることができるものである。
【図面の簡単な説明】
【図１】薄畳の簡略斜視図、
【図２】その隅角部の一部を断面した拡大斜視図、
【図３】隅角部を裏面側から見た拡大斜視図、
【図４】縁材部分の拡大縦断正面図、
【図５】框部分の拡大縦断側面図。
【符号の説明】
１　畳床
２　芯材
３、４　表裏シート状保護材
５　防湿シート
７　畳表
８　縁材
９　クッション材
【図１】
2004011323.tif 000003
【図２】
2004011323.tif 000004
【図３】
2004011323.tif 000005
【図４】
2004011323.tif 000006
【図５】
2004011323.tif 000007